(57)【要約】【課題】  視環境の変化に対する自己の視力能力の関して、分かり易い方法で認識させる。【解決手段】  被検眼に視力検査視標を呈示して被検眼の視力を検査する視力検査装置において、視標のコントラストの変化やグレア光の投光の有無により、視標を呈示する視環境を変化させる手段と、異なる視環境状態の視標呈示により検査された視力結果の差分を演算し、その差分に基づいて段階的に分類した評価結果を算出する評価手段と、該評価結果を出力する出力手段と、を備える。【選択図】      図２
2004167230.tif 000002
【特許請求の範囲】
【請求項１】
被検眼に視力検査視標を呈示して被検眼の視力を検査する視力検査装置において、被検眼に視標を呈示する視環境を変化させる視環境可変手段と、異なる視環境状態の視標呈示により検査された視力結果の差分を演算し、その差分に基づいて段階的に分類した評価結果を算出する評価手段と、該評価結果を出力する出力手段と、を備えることを特徴とする視力検査装置。
【請求項２】
請求項１の視力検査装置において、前記視環境可変手段は前記視標呈示手段による呈示視標のコントラストを変化させる手段であることを特徴とする視力検査装置。
【請求項３】
請求項１の視力検査装置において、被検眼に向けてグレア光を投光するグレア投光手段を備え、前記視環境可変手段は前記グレア光の投光状態を異なるものにする手段であることを特徴とする視力検査装置。
【請求項４】
被検眼に視力検査視標を呈示して被検眼の視力を検査する視力検査装置において、前記視標の背景輝度を変化させる背景輝度可変手段と、前記視標の透過率を変化させる視標透過率可変手段と、を備えることを特徴とする視力検査装置。
【請求項５】
被検眼の視力を検査する視力検査装置であって、被検眼に呈示する検査視標の光学距離を変更可能な視標呈示手段を備え、該視標呈示手段により検査視標を所定の光学距離にて呈示することにより被検眼の静止視力を検査し、検査視標の光学距離を所定速度で変化させることにより被検眼の動体視力を検査可能な視力検査装置において、被検眼にグレア光を投光するグレア投光手段を備え、前記視標呈示手段による検査視標の呈示時にグレア光を投光してグレア検査を可能にしたことを特徴とする視力検査装置。
【請求項６】
請求項５の視力検査装置において、前記視標呈示手段は視標光束を左右眼用の光路に分割する光分割光学系を持ち、前記グレア投光手段は前記光分割光学系により分割された左右の光路にそれぞれ設けたことを特徴とする視力検査装置。
【請求項７】
請求項６のグレア投光手段は、前記光分割光学系により分割された左右の光路にハーフミラーをそれぞれ配置し、該ハーフミラーを介してグレア光を左右の被検眼にそれぞれ投光する構成としたことを特徴とする視力検査装置。
【請求項８】
請求項５の視力検査装置において、前記グレア投光手段はグレア光を発する光源と、該光源と被検眼との間に置かれ、前記光源を被検眼に対して実距離よりも離れた位置から投影しているように見せるための投影レンズと、を有することを特徴とする視力検査装置。
【請求項９】
請求項８の視力検査装置において、前記投影レンズは前記視標呈示手段が持つ視標投影用のレンズと兼用したことを特徴とする視力検査装置。
【請求項１０】
請求項８又は９の視力検査装置は、左右の被検眼がぞれぞれ装置内で呈示される検査視標を覗き込むための左右の検査窓を持ち、前記投影レンズは前記左右の検査窓の近傍にそれぞれ配置されていることを特徴とする視力検査装置。
【発明の詳細な説明】
【技術分野】
【０００１】
本発明は、運転適性検査等で好適に使用できる視力検査装置に関する。
【背景技術】
【０００２】
車の運転適性検査等では、通常の静止視力検査の他、車の運転時における動く物の見え方の程度を検査するために、動体視力の検査が行われている（特許文献１参照）。
【特許文献１】特開２０００−２０１８９３号公報
【発明の開示】
【発明が解決しようとする課題】
【０００３】
ところで、車の運転時における見え方は、黄昏時や夜間時の対向車の前照灯による眩光（グレア光）の影響や、周囲の背景と対象物とのコントラストの程度によっても影響する。このため、通常の静止視力検査に加え、動体視力、グレア光の投光時の視力、コントラストを変化させたときの視力を検査し、被検者に通常と異なる視環境に変化させたときの見え方に関する能力を認識させたり、適切な運転指導をすることが重要である。
【０００４】
こうした、グレア検査やコントラスト検査を通常の静止視力検査及び動体視力検査に加えて行う場合、別々の検査装置であると、検査に時間が掛かる問題の他、被検者の集中力が途切れ、検査精度に影響する問題があるので、連続的にできる装置が望まれている。また、従来の装置においては、実際の視環境の変化に近い状態を作ることが難しい問題があった。
【０００５】
本発明は、上記従来技術に鑑み、視環境の変化に対する自己の視力能力の関して分かり易い方法で認識させることができ、また、実際の視環境の変化に近い状態での視力検査を効率良く行える視力検査装置を提供することを技術課題とする。
【課題を解決するための手段】
【０００６】
上記課題を解決するために、本発明は以下のような構成を備えることを特徴とする。
（１）  被検眼に視力検査視標を呈示して被検眼の視力を検査する視力検査装置において、被検眼に視標を呈示する視環境を変化させる視環境可変手段と、異なる視環境状態の視標呈示により検査された視力結果の差分を演算し、その差分に基づいて段階的に分類した評価結果を算出する評価手段と、該評価結果を出力する出力手段と、を備えることを特徴とする。
（２）  （１）の視力検査装置において、前記視環境可変手段は前記視標呈示手段による呈示視標のコントラストを変化させる手段であることを特徴とする。
（３）  （１）の視力検査装置において、被検眼に向けてグレア光を投光するグレア投光手段を備え、前記視環境可変手段は前記グレア光の投光状態を異なるものにする手段であることを特徴とする。
（４）  被検眼に視力検査視標を呈示して被検眼の視力を検査する視力検査装置において、前記視標の背景輝度を変化させる背景輝度可変手段と、前記視標の透過率を変化させる視標透過率可変手段と、を備えることを特徴とする。
（５）  被検眼の視力を検査する視力検査装置であって、被検眼に呈示する検査視標の光学距離を変更可能な視標呈示手段を備え、該視標呈示手段により検査視標を所定の光学距離にて呈示することにより被検眼の静止視力を検査し、検査視標の光学距離を所定速度で変化させることにより被検眼の動体視力を検査可能な視力検査装置において、被検眼にグレア光を投光するグレア投光手段を備え、前記視標呈示手段による検査視標の呈示時にグレア光を投光してグレア検査を可能にしたことを特徴とする。
（６）  （５）の視力検査装置において、前記視標呈示手段は視標光束を左右眼用の光路に分割する光分割光学系を持ち、前記グレア投光手段は前記光分割光学系により分割された左右の光路にそれぞれ設けたことを特徴とする。
（７）  （６）のグレア投光手段は、前記光分割光学系により分割された左右の光路にハーフミラーをそれぞれ配置し、該ハーフミラーを介してグレア光を左右の被検眼にそれぞれ投光する構成としたことを特徴とする。
（８）  （５）の視力検査装置において、前記グレア投光手段はグレア光を発する光源と、該光源と被検眼との間に置かれ、前記光源を被検眼に対して実距離よりも離れた位置から投影しているように見せるための投影レンズと、を有することを特徴とする。
（９）  （８）の視力検査装置において、前記投影レンズは前記視標呈示手段が持つ視標投影用のレンズと兼用したことを特徴とする。
（１０）  （８）又は（９）の視力検査装置は、左右の被検眼がぞれぞれ装置内で呈示される検査視標を覗き込むための左右の検査窓を持ち、前記投影レンズは前記左右の検査窓の近傍にそれぞれ配置されていることを特徴とする。
【発明の効果】
【０００７】
視環境の変化に対する自己の視能力を分かり易い方法により認識させることができる。また、視環境を変化させた複数の視力検査を効率良く、連続的に行える。さらに装置構成を簡略化して、コスト低減を図ることができる視力検査装置を実現できる。
【発明を実施するための最良の形態】
【０００８】
本発明の実施の形態を図面に基づいて説明する。図１は本発明に係る視力検査装置の外観図である。
【０００９】
１は装置本体であり、２Ｒ，２Ｌは被検者が装置内を覗き込み、後述する光学系により筐体内に呈示される検査視標を観察するための検査窓である。装置本体１の側面には、検者が操作するための各種のスイッチを持つ操作パネル３が配置されている。
【００１０】
装置本体１の下部の前側には被検者が操作する操作部が装置本体１の筐体と一体的に設けられている。５は呈示されるランドルト環視標の切れ目方向を被検者が応答入力するためのジョイスティック、４は呈示視標の判別ができないときにその旨を応答入力するための応答ボタンである。また、応答ボタン４は動体視力検査時に呈示される検査視標が判別できたときの応答入力の役割も兼ねる。６は自動検査モード時に検査を開始するためのスイッチである。９は、音声ガイドを出力するスピーカ９である。
【００１１】
８は検査結果を印字出力するプリンタである。１０は開閉扉であり、その内部には動体視力検査時に移動する視標の見かけ上の速度を変更するための速度切替スイッチ、コントラスト検査時のコントラストや視標の照明輝度を設定するスイッチ等がが内蔵されている。動体視力検査時の視標の移動速度は、２０〜６０km／hの間で１０km／h毎に変更できるようになっている。普段は基準速度の３０km／hに設定されている。
【００１２】
図２は装置の光学系の側面から見た図と制御系の要部構成図である。図３は、光学系を上から見た図である。１１は照明光源、１２は集光レンズ、１３は視標板である。視標板１３には、図４に示すように、背景輝度に対してコントラスト比が異なる視標４０、４１、４２が設けられている。視標４０はコントラスト比が１００％（視標の透過率０％）であり、視標４１はコントラスト比が１０％（視標の透過率９０％）であり、視標４２はコントラスト比が５０％（視標の透過率５０％）である。視標４０，４１，４２、それぞれ上下左右方向に切れ目を持つ４つのランドルト環視標であり、その大きさは同じである。また、本装置での照明光源１１には、光量（輝度）を変更できる白色ＬＥＤを使用しており、視標の背景輝度を変更できる。視標板１３はモータ３１により回転され、呈示視標が切換えられる。
【００１３】
照明光源１１の点灯により視標板１３上の視標は照明され、視標板１３からの視標光束はプリズム１４、ミラー１５によって反射してレンズ１６を通った後、ミラー１７を反射してレンズ１８に向かう。レンズ１８を通過した視標光束はプリズム１９に入射し、このプリズム１９により左右の光路に分割される。分割された各光路にはミラー２０Ｒとミラー２０Ｌがそれぞれ配置されており、ミラー２０Ｒ及びミラー２０Ｌによって反射された視標光束は、検査窓２に配置された保護ガラス２２Ｒ、２２Ｌを通過して被検眼の左右へそれぞれ向かう。また、左右の被検眼の眼前には、それぞれ保護ガラス２２Ｒ、２２Ｌを介してハーフミラー２１Ｒ、２１Ｌが配置されている。グレア光源２５から発した眩光は、それぞれハーフミラー２１Ｒ、２１Ｌに反射されて被検眼に向けられる。グレア光源２５は、左右の光路でそれぞれ光軸を挟んで２個設けられている。なお、グレア光源２５は、それぞれ左右の検査窓２Ｒ，２Ｌ（保護ガラス２２Ｒ、２２Ｌ）の周辺に配置し、接被検眼にグレア光を直接照射する構成とすることもできる。
【００１４】
プリズム１４は移動装置３２によって移動され、光学的に被検眼と視標との距離を見かけ上５０ｍ〜３ｍまで変更することが可能である。視標板１３上の視標の大きさは、被検眼と視標との距離が５０ｍのときに視力値１．６６、３０ｍのときに視力値１．０、３ｍのときに視力値０．１となるように設計されている。また、片眼検査を行う際には、左右の保護ガラス２２Ｒ、２２Ｌの手前の光路上に図示無きシャッタがそれぞれ挿入されるようになっている。
【００１５】
３０は制御部である。制御部３０は通常の静止視力検査、動体視力検査、コントラスト検査、グレア検査等の検査プログラムを記憶しており、検査モードの選択によって、照明光源１１及びグレア光源２２の点灯及び消灯、モータ３１、移動装置３２、音声ガイド発生部３３の作動を制御する。また、制御部３０にはパネル部３、応答ボタン４、ジョイスティック５、測定結果等を記憶するメモリ３４、プリンタ８、年齢入力用の入力装置３５が接続されている。入力装置３５は、年齢を数値で入力するテンキー３５ａと、年齢表示用の表示部３５ｂを備える。
【００１６】
図５は操作パネル３の構成図である。１００は検査モード選択スイッチである。検査モードには、音声ガイドに従って被検者自信がスイッチ操作を行うことで検査を進めることができる自動検査モードと、検者が各スイッチ操作で検査を進める手動検査モードと、検査手順の指示や条件設定は装置が行い、被検者の応答のみを検者が入力することで検査を進める半自動検査モードの３種類がある。
【００１７】
１０１は検査する対象の被検眼（左、右、両眼）の選択を行うスイッチである。１０２は通常の明るさで静止視力検査を開始するためのスイッチ、１０３は動体視力検査を開始するスイッチ、１０４はコントラスト検査を開始するスイッチ、１０５はグレア検査を開始するスイッチである。スイッチ１０２〜１０５は、手動モードのときに個別の検査を実施するときに使用する。
【００１８】
１１０は視力値表示用の表示器、１１１は視力値選択用のスイッチである。１１５は視標スイッチ部で、ランドルト環視標の切れ目方向を上下左右の４方向で入力する４つのスイッチが設けられている。１０６は判読不能の旨を検者が入力するスイッチである。３８は検査結果をプリント出力するための印刷スイッチである。
【００１９】
次に、上記の構成を持つ装置による、通常の視力検査である静止視力検査、動体視力検査、コントラスト検査及びグレア検査について説明する。ここでは自動検査モードを使用することにより、各検査を連続的に行う場合について説明する。
【００２０】
スイッチ６が押されると、初めに、通常の静止視力検査が開始される。制御部３０の制御により、視標板１３の視標４０（高コントラスト視標）の何れかが視標呈示光路に配置され、照明光源１１が点灯される。視標の背景輝度は、２００ｃｄ／ｃｍ2とされる。また、初めの視標の視力値が０．５となるようにプリズム１４の移動により、光学的な視標の呈示距離が調整される。被検者は視標の判別結果をジョイスティック５により応答する。視標が判別できないときはボタン４で応答する。制御部３０は、呈示視標に対してジョイスティック５が倒された方向の正誤を判定する。正答であれば、プリズム１４を移動して視力値を１段階上げる（視力値０．６にする）。応答が誤答（判別できない旨の応答を含む）のときは、視力値を１段階下げる（視力値０．４にする）。視力値を上げていく段階で誤答があった場合には、視標の視力値を見えていた段階に戻し、視標の方向を変える。制御部３０は、同一視力値で２回以上の正答があれば、その視力値があるものとする。静止視力値はメモリ３４に記憶される。
【００２１】
続いて、動体視力検査に移る。制御部３０はプリズム１４を移動することにより、視標（視標４０）の光学的な呈示距離を５０ｍ（視力値１．６）に置いた後、見かけ上３０Ｋｍ／ｈの速度で被検眼に向かって近づけていく。視標の切れ目方向はランダムに決定されている。被検者は、視標が判読できたら応答ボタン４を押す。制御部３０は視標の移動を止めると同時に照明光源１１を消灯し、視標を見えなくする。被検者は、ジョイスティック５の操作により視標の切れ目方向を応答する。制御部３０は、ジョイスティック５の応答入力によりその正誤を判定する。動体視力値は、応答ボタン４の応答があったときの視標の位置を基に算出される。動体視力検査は、正答が５回得られるまで繰り返される。
【００２２】
続いて、コントラスト検査に移る。コントラスト検査で使用する視標は、予め開閉扉１０の内部にあるスイッチにより選択できる。ここでは、低コントラストの視標４１が設定されているものとする。視標の背景輝度は、通常の静止視力検査と同じく、２００ｃｄ／ｃｍ2とする。制御部３０は、モータ３１を駆動して低コントラストの視標４１の何れかを視標呈示光路に配置する。低コントラストの視標４１の呈示により、静止視力検査と同様に視力検査が開始される。初めに視標の視力値が０．５となるようにプリズム１４を移動した後、被検者に判別結果をジョイスティック５又は判読できない旨をボタン４により応答してもらう。制御部３０は、応答の正誤を基に視標の視力値を変更する。同一視力値で２回以上の正答があれば、その視力値があるものとする。低コントラストの視力値はメモリ３４に記憶される。
【００２３】
次に、グレア検査に移る。グレア検査では、制御部３０の制御により、再び視標４０の何れかが視標呈示光路に配置されると共に、グレア光源２５が点灯される。グレア光源２５の点灯下で、前述の通常の静止視力検査と同様に、被検者の応答内容の正誤が制御部３０によって判定され、視力値が検査される。
グレア検査まで終了すると、音声ガイドにより検査終了の旨がアナウンスされ、プリンタ８から検査結果が出力される。
【００２４】
図６は検査結果の印字出力例の図である。検査結果欄には、通常の静止視力の結果２０１、動体視力検査の結果２０２、コントラスト検査（ここでは１０％の低コントラスト検査での視力値）の結果２０３、グレア検査の結果２０４、運転時の指導内容２０５が表示される。コントラスト検査の結果２０３の下には、コントラスト検査に対する評価２１０が表示される。この評価２１０は、静止視力検査で得られた視力値とコントラスト検査で得られた視力値との差分が制御部３０により演算され、その差分を基に５段階に分類されている。例えば、図７のように、差分の視力が「０．１以下」、「０．２」、「０．３」、「０．４」、「０．５以上」に応じて、順に「評価５（優れている）」、「評価４（やや優れている）」、「評価３（普通）」、「評価２（やや劣っている）」、「評価１（劣っている）」というように、静止視力に対する５段階の相対的な評価値が制御部３０により決定される。
【００２５】
また、グレア検査の結果２０４の下には、静止視力検査で得られた視力値とグレア検査で得られた視力値との差分を基に、５段階に分類されたグレア検査の評価２１２が表示されている。この評価２１２についても、コントラスト検査の評価２１０の算出方法と同様に、図７のテーブルに従って決定される。動体視力についても、静止視力の視力値との差分を基に５段階に分類した評価を表示しても良い。視環境が変わった際の視力値の変化が分かり易い形で表されているので、高齢の被検者でも自分の視能力の程度を容易に認識することができる。指導内容２０５には、こうした評価及び各検査の視力値を基に、車の運転時における視環境の変化に対する注意事項などが表示される。
【００２６】
こうした各検査の静止視力に対する差分を基にした評価の分類は、多数の被検者を検査した結果から統計的に処理して定めると良い。また、見え方の能力は、年齢と共に変化するので、年齢別に統計処理して評価を算出することでも良い。被検者の年齢は、検査を始める前に入力装置３５により入力しておく。評価結果は、同年齢層に対して５段階に分類された評価とされる。例えば、被検者の年齢が５０〜５９歳の年齢層であるなら、評価結果は５０〜５９歳の平均に対して高い／低いといように表される。
また、動体視力検査、コントラスト検査及びグレア検査においては、それぞれの視力検査の結果から、見え方の能力を５段階で分類して評価を加えても良い。
【００２７】
以上の実施形態におけるコントラスト検査及びグレア検査では視標の背景輝度を通常の静止視力検査と同じものとしたが、照明光源１１の光量調整により、例えば、１０ｃｄ／ｃｍ2として夜間等の見えにくい状態を再現した視環境に変化させると、運転時の視力能力をより適切に検査できる。さらには、低コントラストの視標４１に代えてコントラスト比５０％の視標４２を使用すると、夜間等においてコントラストの悪い物体を見るときの視環境を容易に再現できる。
また、コントラストの異なる状態の視標呈示は、照明光源１１の光量調整により視標の背景輝度のみ変更することでも良い（コントラスト検査は、この場合も含む）。
また、グレア光の投光や呈示視標のコントラストの変化は、動体視力検査時に実施しても良い。運転適性検査においては、いろいろな視環境の変化状態で視力検査を実施することにより、より適切な車の運転方法を指導助言することができる。
【００２８】
以上の実施形態では、グレア光を単に検査視標の光路中に挿入させるものであったが、これに限るものではない。グレア光の光源を被検眼に対して見かけ上、実距離よりも遠方から投影させるような構成とすることもできる。
【００２９】
図８は、グレア光源を被検眼に対して見かけ上、所定の距離（ここでは略３０ｍ）離れた位置から投影させる構成とした光学系を説明する図（図３と同じく、光学系を上から見た図）である。なお、図中、図３に示した部材と同機能を有するものには同符号を付し、説明を省略する。また、その他の光学部材及び制御系の構成は、基本的に図２と同じであるため、その説明を省略する。
【００３０】
５０Ｒ，５０Ｌはグレア光源であり、図８に示すように、図２に示したプリズム１４による光学的な影響を受けない位置に配置される。グレア光源５０Ｒ，５０Ｌを視標板１３の近傍に設置されておくことも可能であるが、視標板１３の近傍にグレア光源を設置してしまうと、動体検査時にプリズム１４の移動によりグレア光源も視標とともに被検眼に向かって近づいてしまうため、精度の良いグレア検査が行い難い。したがって、グレア光源５０Ｒ，５０Ｌは前述したようにプリズム１４による光学的な影響を受けない位置に配置されていることが好ましい。
【００３１】
５１Ｒ，５１Ｌは、それぞれグレア光源５０Ｒ，５０Ｌからの光束を折り返してプリズム１９に入射させるためのミラーである。ミラー５１Ｒとミラー５１Ｌは、ミラー１７にて反射した後プリズム１９へ向かう視標光束を両側から挟むように設置されている。ミラー５１Ｒとミラー５１Ｌの設置間隔は、ミラー１７を反射した視標光束を全て通して、視標光束を遮らない間隔を有している。また、グレア光源５０Ｒ，５０Ｌをそれぞれ出射した光束をミラー５１Ｒ，５１Ｌにて反射した後、できるだけ多くの照明光量をプリズム１９内に入射させるために、ミラー５１Ｒ，５１Ｌに対するグレア光源５０Ｒ，５０Ｌの設置角度が調整されている。
【００３２】
５２Ｒ及び５２Ｌは、図２，３のレンズ１８の代わりに検査視標を左右の被検眼にそれぞれ投影するためのレンズであり、それぞれ左右の光路に配置されたミラー２０，２０Ｌと保護ガラス２２Ｒ，２２Ｌとの間に置かれている。同時に、このレンズ５２Ｒ，５２Ｌは、グレア光源５０Ｒ，５０Ｌを被検眼に投影するための投影レンズを兼ねる。グレア光原５０Ｒ，５０Ｌの設置位置は、レンズ５２Ｒ，５２Ｌの焦点位置よりも被検眼側に位置している。その結果、グレア光源５０Ｒ及びグレア光源５０Ｌは、被検眼に対して見かけ上、実距離よりも遠く離れた位置から投影しているように見えることとなる。なお、本実施形態では、この見かけ上の投影距離を３０ｍとしているが、これに限るものではなく、グレア検査をより正確に行うために必要なグレア光源（５０Ｒ，５０Ｌ）の投影距離を無限遠と見なせるような距離（例えば５ｍ〜５０ｍ等）が確保できるような光学設計であればよい。
【００３３】
また、グレア光源５０Ｒ，５０Ｌは、図示するように、視標光束の光軸から外れた位置に置かれるため、レンズ５２Ｒ，５２Ｌが被検眼に対して離れる程、被検眼に入射するグレア光の光束のずれ量（視標光束の光軸からのずれ量）は大きくなってしまう。その結果、被検眼に投影されるグレア光は、途中の光学部材や保護ガラス２２Ｒ，２２Ｌ周辺の外壁によるけられ、光束のずれによって、被検眼に入射するグレア光の光束径が小さくなったり、或いは全く見えなくなってしまうことがある。このため、グレア光源５０Ｒ，５０Ｌを被検眼に投影するためのレンズ５２Ｒ，５２Ｌは、できるだけ被検眼の近くに位置するように、言い換えると保護ガラス２２Ｒ，２２Ｌが位置する検査窓２Ｒ，２Ｌにできるだけ近づけるようにして配置しておくことが好ましい。
【００３４】
以上のような光学系の構成を備える装置でのグレア検査を説明する。図２に示した制御部３０の制御により、視標４０の何れかが視標呈示光路に配置されると共に、グレア光源５０Ｒ，５０Ｌが点灯される。グレア光源５０Ｒ，５０Ｌから出射された眩光用の光束は、ミラー５１Ｒ，５１Ｌによってそれぞれ反射され、視標光束と共にプリズム１９に入射する。その後、視標光束及びグレア光の光束は、左右の光路に分割され、ミラー２０Ｒ，２０、レンズ５２Ｒ，５２Ｌ及び保護ガラス２２Ｒ，２２Ｌを経て、それぞれ左右の被検眼に向かう。被検者は所定の距離に呈示される視標像の両側に見かけ上３０ｍ前方から投影されたグレア光源を見ながら検査を行うことができるため、より実際の状況に合った状態を得ることができ、信頼度の高いグレア検査を行うことができる。片眼検査のときも同様である。
【００３５】
なお、図８に示した光学系では、保護ガラス２２Ｒ，２２Ｌの近傍に配置したレンズ５２Ｒ，５２Ｌを視標の呈示用とグレア光源の投影用の両方に共用するものとしているが、これに限るものではない。被検眼に入射するグレア光の光束径がやや小さくなるものの、例えば、図２に示したグレア光源２５とハーフミラー２１Ｒ（２１Ｌ）の間に投影用のレンズを配置することも可能である。
【図面の簡単な説明】
【００３６】
【図１】本発明に係る視力検査装置の外観図である。
【図２】装置の光学系の側面から見た図と制御系の要部構成図である。
【図３】光学系を上から見た図である。
【図４】視標板の形成された視標構成を示す図である。
【図５】操作パネルの構成図である。
【図６】検査結果の印字出力例の図である。
【図７】視力値の差分を基にした５段階の評価を示す図である。
【図８】グレア光源を見かけ上、遠方から投影したように見せるための光学系を示した図である。
【符号の説明】
【００３７】
８  プリンタ
１１  照明光源
１３  視標板
４０、４１、４２  視標
１４  プリズム
１９  プリズム
２１Ｒ、２１Ｌ  ハーフミラー
２５  グレア光源
３０  制御部
３１  モータ
３２  移動装置
４０、４１、４２  視標
２０３、２１２  評価
【図１】
2004167230.tif 000003
【図２】
2004167230.tif 000004
【図３】
2004167230.tif 000005
【図４】
2004167230.tif 000006
【図５】
2004167230.tif 000007
【図６】
2004167230.tif 000008
【図７】
2004167230.tif 000009
【図８】
2004167230.tif 000010